(57)【特許請求の範囲】
【請求項１】
未知の通貨種目のスペクトル感度を評価することによって該未知の通貨種目を少なくとも１つの既知の通貨種目と比較する方法であって、
該未知の通貨種目からスペクトル感度を取得するステップと、
該未知の通貨種目の該スペクトル感度を第１の成分及び第２の成分に分離するステップと、
該未知の通貨種目の該スペクトル感度の少なくとも１つの成分を、特定の額面を有する少なくとも１つの既知の通貨種目のスペクトル感度の少なくとも１つの成分と比較するステップと、
該未知の通貨種目が該少なくとも１つの既知の通貨種目の等級の一要素であるかを判断するステップであって、該未知の通貨種目の該少なくとも１つの成分感度が、該少なくとも１つの既知の通貨種目の該少なくとも１つの成分感度と比較したときにその予め定義された許容差内にある場合、該未知の通貨種目が該少なくとも１つの既知の通貨種目の該等級の一要素であると判断するステップとを含み、
該未知の通貨種目の該スペクトル感度は、色空間内に該未知の通貨種目の該スペクトル感度を投影することによって第１の成分に、該特定の色空間に直交する別の空間内に該未知の通貨種目の該スペクトル感度を投影することによって第２の成分に分離される、方法。
【請求項２】
請求項１に記載の方法において、該第１のスペクトル成分が基本メタマーである方法。
【請求項３】
請求項１又は２に記載の方法において、該第２のスペクトル成分がブラック・メタマーである方法。
【請求項４】
請求項１乃至３のいずれか１項に記載の方法において、該色空間がＣＩＥ ＸＹＺ空間である方法。
【請求項５】
請求項１乃至４のいずれか１項に記載の方法において、該色空間がＣＩＥ Ｌａｂ空間である方法。
【請求項６】
請求項１乃至５のいずれか１項に記載の方法において、通貨検証部によって行われる方法。
【請求項７】
挿入された未知の通貨種目からスペクトル感度情報を取得するように構成された検証部を備える、通貨種目を判別する装置であって、該検証部が、
第１のスペクトル成分感度を有する少なくとも１つの既知の通貨種目のスペクトル感度情報を格納するメモリ部と、
該挿入された未知の通貨種目からスペクトル情報を取得する感知部と、
該挿入された未知の通貨種目の該スペクトル感度情報から該挿入された未知の通貨種目の第１のスペクトル成分感度を取得するように構成された処理部とを含み、
該検証部が、挿入された未知の通貨種目の該第１のスペクトル成分感度を該少なくとも１つの既知の通貨種目の第１のスペクトル成分感度と比較し、該挿入された未知の通貨種目の該第１のスペクトル成分感度の比較が該メモリ部に格納された該少なくとも１つの既知の通貨種目の該第１のスペクトル成分感度の予め定められた許容差内にある場合、該挿入された未知の通貨種目が該少なくとも１つの既知の通貨種目の等級の一要素であると判断するように構成され、
該メモリ部が、該少なくとも１つの既知の通貨種目の第２のスペクトル成分感度を格納するように構成され、
該検証部がさらに、該挿入された未知の通貨種目の該スペクトル感度情報から、該挿入された未知の通貨種目の第２のスペクトル成分感度を取得するように構成され、
該第１のスペクトル成分感度は色空間内への該スペクトル感度の投影であり、該第２のスペクトル成分感度は該特定の色空間に直交する別の空間内への投影である、装置。
【請求項８】
請求項７に記載の装置において、該第１の成分スペクトル感度が基本メタマーである装置。
【請求項９】
請求項７又は８に記載の装置において、該第２の成分スペクトル感度がブラック・メタマーである装置。
【請求項１０】
請求項７乃至９のいずれか１項に記載の装置において、該検証部がさらに、ＣＩＷ ＸＹＺ空間を使用して該スペクトル感度を判断するように構成された装置。
【請求項１１】
請求項７乃至１０のいずれか１項に記載の装置において、該検証部がさらに、ＣＩＥ Ｌａｂ空間を使用して該スペクトル感度を判断するように構成された装置。
【発明の詳細な説明】
【技術分野】
【０００１】
（関連出願の相互参照）
本出願は、２００８年７月２９日出願の米国仮特許出願第６１／１３７，３８６号の優先権の利益を主張し、その出願の内容全体を本明細書に組み込む。
【０００２】
本開示は、通貨種目の分類に関し、特に、通貨種目のスペクトル感度に基づく通貨種目の分類に関する。
【背景技術】
【０００３】
通貨のある種目を別の種目と区別するため、通貨種目を製造する際に色が使用される場合が多い。例えば、価値のある書類は、印刷された模様又は絵とともに、特定の色インクで構成される他の様々な特徴を含む場合が多い。本開示の目的のため、価値のある書類としては、銀行券、証書、手形、有価証券、小切手、株券、及び利札が挙げられるが、それらに限定されない。所与の通貨は、多数の異なる額面（例えば、５ユーロ、１０ユーロ、２０ユーロ、及び５０ユーロ）の銀行券を有することがある。特定の通貨の各額面は、多種多様な色を使用して印刷された固有の画像（多くの場合、銀行券の各面で異なる）を有する場合が多い。
【先行技術文献】
【特許文献】
【０００４】
【特許文献１】米国仮特許出願第６１／１３７，３８６号
【特許文献２】米国特許出願第６１／０８４，３５８号
【発明の概要】
【発明が解決しようとする課題】
【０００５】
自動取引デバイス（例えば、自動販売機）では、検証部が設けられ、挿入された銀行券に光（例えば、少なくとも１つの波長の）を照射し、その挿入された銀行券のスペクトル感度を評価するように適応されている。検証部によって取得したスペクトル感度情報は、特定の特徴、インク、又は印刷された模様を識別するのに使用することができる。一般的には、検証部はスペクトル感度情報を使用して真正の銀行券と非真正の銀行券とを判別する。挿入された銀行券の判別は、挿入された銀行券のスペクトル感度情報を、異なる額面及び／又は通貨を示す基準銀行券群のスペクトル感度情報と一致させることによって達成される場合が多い。
【０００６】
色に依存するいくつかの判別技術の制約は、莫大な数の異なるスペクトルによって色を表すことが可能であるという事実に起因する。より具体的には、原物の銀行券を製造するのに使用されるもの以外の機器を使用する、原物の銀行券の複製は、標準色の異なる組合せを使用して形成されることがある。したがって、人間の眼によって同じであると知覚される色が異なるスペクトル感度を有する可能性がある。
【課題を解決するための手段】
【０００７】
本開示は通貨種目の判別に関する。本開示の目的のため、通貨種目としては、価値のある書類、銀行券、証書、小切手、硬貨、利札、有価証券、又は物品やサービスと引き換えに使用される他のあらゆる通貨種目（真正もしくは非真正）が挙げられるが、それらに限定されない。本開示は、未知の通貨種目のスペクトル感度と少なくとも１つの既知の通貨種目との比較に基づいて、通貨種目を判別する方法及び装置について記載する。
【０００８】
いくつかの実現例では、通貨種目同士を判別する検証部が設けられる。特に、少なくとも１つの基準通貨種目（例えば、第一等級（first class））に関するスペクトル感度情報が検証部内に格納され、挿入された通貨種目との比較に使用される。検証部は、スペクトル感度情報（例えば、少なくとも１つの波長での光の反射又は透過に基づく）を挿入された通貨種目から取得するように適合される。検証部はさらに、通貨種目の測定されたスペクトル感度を使用し、それを検証部内に格納された少なくとも１つの通貨種目のスペクトル感度と比較するように構成することができる。検証部は、挿入された通貨種目の測定された感度を少なくとも１つの成分感度に変換するように構成することができる。いくつかの実現例では、少なくとも１つのスペクトル成分感度は既知の標準色空間内へと投影される。いくつかの実現例では、挿入された通貨種目の測定されたスペクトル感度は、色空間内へと、かつ特定の色空間に直交するさらなる空間内へと投影される。
【０００９】
挿入された通貨種目の測定されたスペクトル成分感度は、挿入された通貨種目を分類するための分類技術に対する入力として、少なくとも１つの既知の通貨種目（即ち、ある等級の通貨）のスペクトル成分感度とともに使用することができる。
【００１０】
本発明の様々な態様は請求項に記載される。他の特徴及び利点は、詳細な説明及び添付図面から容易に明白になるであろう。
【図面の簡単な説明】
【００１１】
【図１】ＸＹ色度図である。
【００１２】
【図２】Ｌ＊ａ＊ｂ＊空間図である。
【００１３】
【図３】様々な色域を示す図である。
【００１４】
【図４】スペクトル感度及びそれに関連する成分感度の一例を示す図である。
【００１５】
【図５】特定の色空間に直交する空間を示す図である。
【００１６】
【図６】色空間及び直交空間の両方における色のスペクトル感度を示す図である。
【００１７】
【図７】図６の色と同じであると知覚されるが、直交空間では異なる感度を有する色のスペクトル感度を示す図である。
【００１８】
【図８】両方とも色空間において同じであると知覚される印刷色を有する種目である、色空間における真正の通貨種目と非真正の通貨種目との比較を示す図である。
【００１９】
【図９】両方とも色空間において同じであると知覚される印刷色を有する種目である、色空間に直交する空間における真正の通貨種目と非真正の通貨種目との比較を示す図である。
【００２０】
【図１０】本発明による通貨検証部を備えた自動取引機械の一例を示すブロック図である。
【００２１】
【図１１】未知の通貨種目のスペクトル感度を評価することによって、未知の通貨種目を既知の通貨種目と比較する方法の一例を示すフローチャートである。
【発明を実施するための形態】
【００２２】
いくつかの実現例では、通貨種目上に存在する色の差が、１つの通貨種目を別のものと判別するのに使用される。特に、色評価は、未知の通貨種目が既知の通貨種目上に存在する色に類似した色を有するかを判断するのに使用することができる。いくつかの実現例では、未知の通貨種目を既知の種目と分類する方法は、既知の通貨種目のスペクトル感度を未知の通貨種目のスペクトル感度と比較することを含む。他の実現例では、既知の通貨種目を未知の通貨種目と判別する検証部が設けられる。
【００２３】
検証部は、メモリ部、処理部（例えば、マイクロプロセッサ）、及び感知部を含む。感知部は、少なくとも１つの光源、及び少なくとも１つの波長における通貨種目のスペクトル感度を感知する少なくとも１つのセンサを使用して、スペクトル感度情報を通貨種目から取得するように適合される。通貨種目は光源によって照射され、少なくとも１つのセンサを使用してスペクトル感度情報（例えば、反射もしくは透過に基づく）が取得される。
【００２４】
いくつかの実現例では、色は、三刺激値の理論として知られている人間の目視による色知覚によって説明することができる。三刺激値の理論は、可視範囲における既知のスペクトル感度を有する３つの異なる光受容体タイプの一次結合を含む。国際照明委員会（ＣＩＥ）は、標準観測者のための等色関数及び定義された色空間を含む、標準的な人間の目視による色知覚を特徴付けている。標準色空間の例としては、ＣＩＥ  ＸＹＺ及びＣＩＥＬＡＢ空間が挙げられるが、それらに限定されない。これらの標準は、測色学ならびに色情報の変換及び共有の基本である。測色を適用することによって、未知の通貨種目と既知の通貨種目とを判別する能力の改善が可能になる。より具体的には、真正の通貨種目と非真正の通貨種目との判別は、様々な測色技術を使用して改善することができる。
【００２５】
物体色の測色学的な色再現（色の見えの一致を含む）を追求するカメラ及びスキャナなどの色入力デバイスは、それらを設計する際、及び物理的センサからの出力データを解釈する際に、人間の視覚系の特性を考慮に入れなければならない。
【００２６】
光は全スペクトルから成り、したがって、色は光スペクトル全体の関数である。色感覚の三色型色覚は条件等色現象に結び付く。これは、異なるスペクトルが同じ色を生じさせる場合があることを意味する。通貨種目には少なくとも１つの色が含まれる場合が多いので、別のスペクトルによって再現されている色と真正の通貨種目の現在の色とを判別できることが本質的に重要になる。
【００２７】
人間の視覚系の性質は３つの錐体型のスペクトル感度によって定義される。Ｌ錐体は約５７０ｎｍにピーク感度を有する。Ｍ錐体は約５４０ｎｍにピーク感度を有する。Ｓ錐体は約４４５ｎｍにピーク感度を有する。
ＣＩＥ等色関数
【数１】
0005437372.tif 000002
を使用して、眼のスペクトル感度と等色関数との間の線形関係を次式によって得ることができる。
【数２】
0005437372.tif 000003
【００２８】
光源Ｅのスペクトルパワーに物体表面のスペクトル反射率Ｒを掛ける。その結果は観測者が受け取る物体色である。１０ｎｍ刻みで４００ｎｍ〜７８０ｎｍの可視範囲全体にわたって測定を行うものと仮定する。三刺激値空間は、次式によって与えられる大文字Ｘ、Ｙ、Ｚによって定義される。
【数３】
0005437372.tif 000004
【数４】
0005437372.tif 000005
式中、ｋは正規化係数である。
【数５】
0005437372.tif 000006
Ｙは色の輝度の明るさを表す。したがって、三刺激値Ｘ、Ｙ、Ｚをその合計によって正規化した場合、図１に示されるようなローカス色空間（locus color space）を定義する空間ｘｙｚが取得される。
【数６】
0005437372.tif 000007
図１に示される色度図から、それが線形ではない（即ち、例えば図の下側部分の、２つの地点間の距離は、図の上側部分（緑色）の他の２つの地点よりも大きい色のばらつきをもたらす）ことが分かる。色のばらつきの知覚をより良好に反映するため、別の図を使用することができる。１つのそのような図は、次式の変換によって与えられるＬ＊ａ＊ｂ＊空間（図２に示される）である。
【数７】
0005437372.tif 000008
Ｘｎ、Ｙｎ、Ｚｎは基準白色の三刺激値である。
【数８】
0005437372.tif 000009
である場合（式中、Ｖは三刺激値Ｘ、Ｙ、又はＺのいずれか）、上記式において、
【数９】
0005437372.tif 000010
を
【数１０】
0005437372.tif 000011
と置き換える。
【００２９】
様々なデバイスが色を作り出す方法には物理的な差があるため、各々のスキャナ、表示装置、及びプリンタは、それが表すことができる領域、即ち色の範囲が異なる。ＲＧＢ色域は、人間の眼が知覚することができる色の約７０％しか表示することができない。プリンタに使用されるＣＭＹＫ色域ははるかに狭く、再現するのは知覚可能な色の約２０％である。パントーン・マッチング・システム（ＰＭＳ）のような、プレミックス・インク（premixed inks）を用いて実現される色域も、ＲＧＢ色域よりも狭い。ＣＭＹＫ色域の中に一致するものがないＰＭＳ色は多い（図３に示されるように）。人間の眼は数十億色を見ることができるが、ＲＧＢ系が網羅するのはわずかに約１６００万色であり、ＣＭＹＫが網羅するのは約５〜６千色である。
【００３０】
通貨検証部において、挿入された通貨種目からスペクトル感度を取得するのに使用されるセンサは、人間の眼の感度とは異なる（例えば、より高い）感度を有することができる。したがって、実際上、標準色空間におけるスペクトル感度の表現は標準色空間の近似である。センサ系の感度は人間の眼の感度とは異なる場合があるので、標準色空間が定義されるのと類似したやり方で他の色空間を定義することができる。新しい色空間（センサ・セットの感度によって定義される）を、標準色空間と同じやり方で分類に使用することができる。
【００３１】
スペクトル・データは、スペクトル・データがすべて三刺激値空間内の同じ色を表す基本メタメリック空間（fundamental metameric space）と、図５に示されるような、測色空間（色空間）に直交するブラック・メタメリック空間（black metameric space）との２つの空間に分割することができる。色再現システムは色の恒常性を保存するので、通常、真正の種目と複製との間の差は色空間においては最小限である。しかし、直交空間においては、真正の通貨種目と非真正の通貨種目との間の差が存在する場合がある。
【００３２】
メタメリック反射率Ｒ（λ）は、Ｒ（λ）＝Ｒｘ（λ）＋Ｒ０（λ）という２つの部分に分解することができ、式中、Ｒｘ（λ）は特殊解、Ｒ０（λ）はメタメリック・ブラックであり、λは所与の波長である。
【００３３】
光源は、Ｅ（λ）によって示される分光分布によって説明することができる。信号は、異なるスペクトル感度Ｘ１、Ｘ２、Ｘ３の３つのセンサを通してフィルタ処理される。
【数１１】
0005437372.tif 000012
ｘ１、ｘ２、ｘ３は、３つのスペクトル感度Ｘ１、Ｘ２、Ｘ３の応答である。行列を使用する表記は次式によって得ることができる。
ｘ＝ＸｔＤ（Ｅ）Ｒ
式中、ｘ＝［ｘ１，ｘ２，ｘ３］及びＸ＝［Ｘ１，Ｘ２，Ｘ３］、Ｄ（Ｅ）は光源方向ベクトルを対数行列に変換したもの、Ｒは反射率である。
Λ＝ＸｔＤ（Ｅ）
と示した場合、Λは色形成行列（color formation matrix）と呼ばれる。したがって、ｘ＝ΛＲである。スペクトル感度（例えば、反射率又は透過率）と色行列Λの行へのその射影との間の距離を最小限に抑える行列は、次式によって与えられる正射影行列Ｑである。
Ｑ＝Λｔ（ΛΛｔ）−１Λ
Ｑは３Ｄ空間内への投影を定義する。直交補空間は次式によって与えられる。
Ｑ⊥＝Ｉ−Ｑ
２つの射影子Ｑ及びＱ⊥を使用して、任意の反射率（又は透過率）を２つの部分に分解することができる。
Ｒ＝ＱＲ＋Ｑ⊥Ｒ
したがって、
Ｒｘ＝ＱＲ
Ｒ０＝Ｑ⊥Ｒ
である。
【００３４】
データが１０ｎｍごとに４１０〜７８０ｎｍの範囲で収集されるとき、反射率Ｒはｐ寸法（実施例では３９）のベクトルによって表される。基本メタマーＲｘはｐ寸法の空間におけるｐ−３寸法のベクトルである。メタメリック・ブラックＲ０はｐ寸法の空間における３寸法のベクトルである。Λは３×ｐ行列であり、正射影Ｑはｐ×ｐ行列である。ＱＲは基本と呼ばれ、Ｑ⊥Ｒは、目で見ることができない反射率の部分（即ち、スペクトル感度）なので黒色成分と呼ばれる。
【００３５】
スペクトルＱＲ及びＲは同じ三刺激値（例えば、同じ色）を有するので、それらはメタマーである。しかし、Ｑ⊥Ｒの三刺激値はゼロであり、したがってブラック・メタマーと呼ばれる。換言すれば、
ｘ＝ΛＲ＝ΛＲｘ
及び
０＝ΛＲ０
である。図４は、マクベス・カラーチェッカーのマゼンタ・パッチの反射率Ｒ（１００）、基本メタマーＲｘ（２００）、及びブラック・メタマーＲ０（３００）を示す。図６及び７から、１００及び２００のスペクトルは人間の眼で見て同じ色を作り出すことが分かる。上述の例は、反射率に基づくスペクトル感度を使用するが、通貨種目を通る光の透過も同様に使用することができる。
【００３６】
本開示は、人間の眼の視知覚に対応する色空間の例を使用してきたが、他の実現例では、センサ・セットの知覚に基づいて色空間を確立することができる。より具体的には、人間の眼の知覚は人間の眼に存在する３つの錐体の感度に基づいている。同様の方策を、特定の感度をそれぞれ有するセンサ・セットに取り入れて、特定の波長域に感度をそれぞれ有するセンサ・セット（例えば、４つのセンサ）のセンサの感度に基づいて色空間を確立することができる。したがって、波長域は非可視スペクトル内の範囲であることができる。
【００３７】
センサ・セットを使用して確立されている色空間を適用することによって、それに対応する直交空間を確立することが可能になり、それによって、非可視色空間及びそれに対応する直交空間を使用して色の判別を行うことができる。
【００３８】
いくつかの実現例では、検証部を使用して既知の通貨種目が評価される。検証部は、後で通貨種目を判別するために、基準データ・セットにおいて使用される既知の通貨種目からのスペクトル感度情報を取得する。少なくとも１つの既知の通貨種目のスペクトル感度情報は、検証部に類似した機器から取得することができ、その結果は検証部のメモリ部内に格納することができる。
【００３９】
スペクトル感度情報が既知の通貨種目から取得されると、色空間（例えば、ＣＩＥ  ＸＹＺもしくはＣＩＥ  Ｌａｂ空間又は非可視色空間）を使用してこの情報をさらに評価することができる。上述の空間（例えば、ＣＩＥ  ＸＹＺ又はＣＩＥ  Ｌａｂ）の１つにおける既知の通貨種目のスペクトル感度情報を解析することによって、少なくとも１つのスペクトル成分感度の判別が可能になる。いくつかの実現例では、ＣＩＥ空間の１つにおいて解析されたスペクトル感度によって、基本メタマー（即ち、第１の成分スペクトル感度）及びブラック・メタマー（即ち、第２の成分スペクトル感度）の判別が可能になる。複数の既知の通貨種目をこの開示される手法で解析して、通貨の様々な額面に対して基準データ・セット群を作ることができる。このように、未知の通貨種目が群の中に含まれる既知の通貨種目のいずれか１つに属することを判断することができる。
【００４０】
いくつかの実現例では、既知の通貨種目群はそれら個々のスペクトル成分感度（例えば、基本メタマー及びブラック・メタマー）によって表される。さらなる実現例では、個々のスペクトル成分感度は検証部内に格納されて、通貨種目を判別するのに使用される。特に、未知の通貨種目は検証部を使用して評価される。検証部は、挿入された未知の通貨種目から個々のスペクトル成分感度を取得するように構成される。検証部はさらに、挿入された未知の通貨種目に関する情報を、メモリ部に格納された既知の通貨種目群中の少なくとも１つの既知の通貨種目に関する情報と比較するように構成される。基本メタマー（即ち、第１の成分スペクトル感度）が既知の通貨種目の予め定められた許容差内にある場合、挿入された通貨種目が、既知の通貨種目によって表されるような所与の額面（又は等級）に属すると判断することができる。いくつかの実現例では、検証部はさらに、未知の通貨種目のブラック・メタマーの比較が既知の通貨種目（特定の額面を有する）のブラック・メタマーの予め定められた許容差内にある場合、挿入された未知の通貨種目が（既に判断された額面の）真正の通貨種目であると判断するように構成される。
【００４１】
図８は、色空間（例えば、ＣＩＥ  ＸＹＺ又はＣＩＥ  Ｌａｂ）内における（特定の額面の）真正の通貨種目及び非真正の通貨種目の第１の成分スペクトル感度（基本メタマー）の比較を示す。（特定の額面の）既知の真正の通貨種目及び未知の通貨種目は両方とも、類似した第１の成分スペクトル感度を呈する。未知の通貨種目の第１の成分スペクトルは、既知の真正の通貨種目と同様の第１の成分スペクトル感度を呈するので、未知の通貨種目は既知の真正の通貨種目の額面の一要素であると判断することができる。図９に示されるように、未知の通貨種目の第２の成分スペクトル感度（ブラック・メタマー）は、既知の真正の通貨種目の第２の成分スペクトル感度とは異なる。したがって、既知の真正の通貨種目及び未知の通貨種目の第２の成分スペクトル感度を使用して、真正の通貨種目を非真正の通貨種目と判別するのが有用である。
【００４２】
いくつかの実現例では、未知の通貨種目の分類（又は判別）は両方のスペクトル成分感度を併せて使用して達成することができる。本開示は第１のスペクトル成分感度及び第２のスペクトル成分感度が別個に評価される、又は異なる評価に使用される実現例を提示してきたが、各成分感度の比較を使用して、通貨種目の等級間の判別を独立に、あるいは併せて行うことができる。
【００４３】
スペクトル成分感度は分類技術に対する入力として使用することができる。様々な分類技術が存在し、１つのそのような技術の例が、「ＣＵＲＲＥＮＣＹ  ＤＩＳＣＲＩＭＩＮＡＴＩＯＮ」という名称の米国特許出願（第６１／０８４，３５８号）に開示されており、その全体を本明細書に組み込む。その出願に開示されている換算技術に対する入力は、本開示に記載されているスペクトル成分感度であることができる。
【００４４】
いくつかの実現例では、未知の通貨種目を分類するのに既知の通貨種目群が使用される。既知の通貨種目それぞれについて、その特定の通貨種目に最適な色空間を使用してスペクトル成分感度を確立することができる。例えば、未知の通貨種目を、１０米ドルの銀行券によって表される等級の一要素であると分類するには、ＣＩＥ  ＸＹＺ色空間を使用することができる。さらに、未知の通貨種目を、５ユーロの銀行券によって表される等級の一要素であると分類するには、ＣＩＥ  Ｌａｂ色空間を使用することができる。いくつかの実現例では、個々の既知の通貨種目はそれぞれ、他の既知の通貨種目を評価するのに使用される色空間とは異なる色空間を使用して評価される（例えば１０米ドルの紙幣と２０米ドルの紙幣）。
【００４５】
検証部は、他の既知の通貨種目の少なくとも１つが、少なくとも１つの他の既知の通貨種目とは異なる色空間を分類に使用する、複数の既知の通貨種目に対するスペクトル成分感度を格納するように適合させることができる。
【００４６】
図１０に示されるように、いくつかの実現例では、自動取引機械５０は、未知の通貨種目と少なくとも１つの既知の額面（又は等級）とを判別する検証部５２を含む。検証部は、感知部５４、メモリ部５６、及びマイクロプロセッサなどの処理部５８を含むことができる。検証部は、挿入された通貨種目との比較のため、少なくとも１つの成分感度を有する少なくとも１つの既知の通貨種目のスペクトル感度情報６０を格納する。
【００４７】
図１１に示されるように、通貨検証部は、未知の通貨種目からスペクトル感度を取得し（ブロック１００）、未知の通貨種目のスペクトル感度を第１の成分（例えば、基本メタマー）及び第２の成分（例えば、ブラック・メタマー）に分離し（ブロック１０２）、未知の通貨種目のスペクトル感度の少なくとも１つの成分を、特定の額面を有する少なくとも１つの既知の通貨種目のスペクトル感度の少なくとも１つの成分と比較する（ブロック１０４）ように構成することができる。通貨検証部は、未知の通貨種目が少なくとも１つの既知の通貨種目の等級の一要素であるかを判断する（ブロック１０６）。例えば、比較に基づいて、未知の通貨種目の少なくとも１つの成分感度が、少なくとも１つの既知の通貨種目の少なくとも１つの成分感度の予め定義された許容差内にある場合、未知の通貨種目は、少なくとも１つの既知の通貨種目の等級の一要素であると判断することができる。
【００４８】
他の実現例は請求項の範囲内にある。
【図４】
0005437372.tif 000013
【図５】
0005437372.tif 000014
【図９】
0005437372.tif 000015
【図１０】
0005437372.tif 000016
【図１１】
0005437372.tif 000017
【図１】
0005437372.tif 000018
【図２】
0005437372.tif 000019
【図３】
0005437372.tif 000020
【図６】
0005437372.tif 000021
【図７】
0005437372.tif 000022
【図８】
0005437372.tif 000023